(57)【要約】【課題】アナログ記録再生装置とデジタル記録再生装置を一の筐体内に有する記録再生可能な機器における現在の情報を簡単な操作で使用者に、アナログ記録再生装置、デジタル記録再生装置の意識することなく全ての情報を提供する。【解決手段】アナログ記録再生装置とデジタル記録再生装置を制御する制御装置を備え、それぞれの情報を記録しておく記録装置を有し、アナログ記録再生装置、デジタル記録再生装置それぞれが前記記憶装置にアクセスし、変化時にリアルタイムに更新し、必要な情報を自由に取得できる通信経路・通信手順と、使用者に必要な情報を表示できるユーザーインターフェイスを提供することで、前記課題を解決する。【選択図】図１
2006040460.tif 000002
【特許請求の範囲】
【請求項１】
アナログ信号を記録再生できる１つ又は複数の第１の記録再生手段と、デジタル信号を記録再生できる第２の記録再生手段と、前記第１の記録再生手段と第２の記録再生手段共用の情報を保持できる記憶手段と、前記記憶手段から情報を取得できる取得手段と、前記取得したデータを変更できる加工手段と、前記加工手段により加工したデータを第１の記録再生手段の出力に表示するために一時的に記憶させておく第１の一時記憶手段と、前記第１の一時記憶手段に格納されたデータを表示させるための第１のレイアウトの作成手段と、前記加工手段により加工したデータを第２の記録再生手段の出力に表示するために一時的に記憶させておく第２の一時記憶手段と、前記第２の一時記憶手段に格納されたデータを表示させるための第２のレイアウトの作成手段と、前記第１及び第２の一時記憶手段とレイアウト作成手段と映像信号の合成する映像処理手段、第１の記録再生手段と第２の記録再生手段の情報を同時に表示する表示手段とを特徴とする記録再生装置。
【請求項２】
内部時間の通知により動作する実行手段と、手段の実行結果情報を検知・取得する検知手段を有することを特徴とする請求項１記載の記録再生装置。
【請求項３】
アナログ信号を記録再生できる１つ又は複数の第１の記録再生装置と、デジタル信号を記録再生できる第２の記録再生装置と、情報表示の設定を判断する回路と、現在の記録再生装置の状態が編集かどうか判断する回路と、表示範囲を判断する回路と、現在情報表示中か判断する回路と、表示終了用タイマーが設定中か判断する回路を有し、現在画面に選択されている記録再生装置が第１の記録再生装置であり、第１の記録再生装置の情報が変化した際の記録再生装置において、第１の記録再生装置の表示用バッファの情報を更新するステップと、第１の記憶再生装置の情報と第２の記録再生装置の情報を保存する共有の記憶装置の第１の再生装置の情報を更新するステップと、情報表示設定が表示なしの時、あるいは編集中か判断し、第１の記録再生装置が編集元装置の場合、処理を終了させるステップと、表示範囲が全ての記録再生装置の時、共有の記憶装置の第２の再生装置の情報を取得し、第１の表示用バッファの情報を更新するステップと、現在画面に情報が表示されていない場合は、第１の表示用バッファの内容を画面に表示するステップと、表示終了用タイマー処理を設定するステップがあり、そうでない場合は、表示中の情報を更新するステップと、表示終了用タイマーが設定されている場合は、時間を再設定するステップを有することを特徴とする表示方法。
【請求項４】
アナログ信号を記録再生できる１つ又は複数の第１の記録再生装置と、デジタル信号を記録再生できる第２の記録再生装置と、情報表示の設定を判断する回路と、現在の記録再生装置の状態が編集中かどうか判断する回路と、表示範囲を判断する回路と、現在情報表示中か判断する回路と、表示終了用タイマーが設定中か判断する回路を有し、現在画面に選択されている記録再生装置が第２の記録再生装置であり、第２の記録再生装置の情報が変化した際の記録再生装置において、第２の記録再生装置の表示用バッファの情報を更新するステップと、第１の記憶再生装置の情報と第２の記録再生装置の情報を保存する共有の記憶装置の第２の再生装置の情報を更新するステップと、情報表示設定が表示なしの時、あるいは編集中か判断し、第２の記録再生装置が編集元装置の場合、処理を終了させるステップと、表示範囲が全ての記録再生装置の時、共有の記憶装置の第２の再生装置の情報を取得し、第２の表示用バッファの情報を更新するステップと、現在画面に情報が表示されていない場合は、第２の表示用バッファの内容を画面に表示するステップと、表示終了用タイマー処理を設定するステップがあり、そうでない場合は、表示中の情報を更新するステップと、表示終了用タイマーが設定されている場合は、時間を再設定するステップを有することを特徴とする表示方法。
【請求項５】
アナログ信号を記録再生できる１つ又は複数の第１の記録再生装置と、デジタル信号を記録再生できる第２の記録再生装置と、情報表示の設定を判断する回路と、表示範囲を判断する回路と、現在情報表示中か判断する回路を有し、現在画面に選択されている記録再生装置が第１の記録再生装置であり、第２の記録再生装置の情報が変化した際の記録再生装置において、第２の記録再生装置の表示用バッファの情報を更新するステップと、第１の記憶再生装置の情報と第２の記録再生装置の情報を保存する共有の記憶装置の第２の再生装置の情報を更新するステップと、現在画面に情報が表示されていない場合は、処理を終了するステップと、そうでない場合、表示範囲の設定が全ての記録再生装置の場合は、共有の記憶装置の第１の再生装置の情報を取得し、第２の表示用バッファの情報を更新するステップと表示中の情報を更新するステップを有することを特徴とする表示方法。
【請求項６】
アナログ信号を記録再生できる１つ又は複数の第１の記録再生装置と、デジタル信号を記録再生できる第２の記録再生装置と、情報表示の設定を判断する回路と、表示範囲を判断する回路と、現在情報表示中か判断する回路を有し、現在画面に選択されている記録再生装置が第２の記録再生装置であり、第１の記録再生装置の情報が変化した際の記録再生装置において、第１の記録再生装置の表示用バッファの情報を更新するステップと、第１の記憶再生装置の情報と第２の記録再生装置の情報を保存する共有の記憶装置の第１の再生装置の情報を更新するステップと、現在画面に情報が表示されていない場合は、処理を終了するステップがあり、そうでない場合、表示範囲の設定が全ての記録再生装置の場合は、共有の記憶装置の第２の再生装置の情報を取得し、第１の表示用バッファの情報を更新するステップと表示中の情報を更新するステップを有することを特徴とする表示方法。
【請求項７】
アナログ信号を記録再生できる１つ又は複数の第１の記録再生装置と、デジタル信号を記録再生できる第２の記録再生装置と、現在情報表示中か判断する回路と表示終了用タイマーが設定中か判断する回路を有し、使用者が、操作によって画面表示させる場合の記録再生装置において、表示部が現在画面に情報が表示されていない場合は、第１の記録再生装置と第２の記録再生装置の情報を共有の記憶装置から取得するステップと、前記取得した情報に表示用バッファを更新するステップと、情報を表示させるステップがあり、そうでない場合、表示終了用タイマーが設定されている場合は、表示用タイマーの設定を解除するステップがあり、そうでない場合は、表示の終了操作するステップを有することを特徴とする表示方法。
【請求項８】
アナログ信号を記録再生できる１つ又は複数の第１の記録再生装置と、デジタル信号を記録再生できる第２の記録再生装置と、情報表示の設定を判断する回路と、現在の記録再生装置の状態が編集かどうか判断する回路と、表示範囲を判断する回路と、現在情報表示中か判断する回路と、表示終了用タイマーが設定中か判断する回路を有し、現在画面に選択されている記録再生装置が第１の記録再生装置であり、第１の記録再生装置の情報が変化した際の記録再生装置において、第１の記録再生装置の表示用バッファの情報を更新するステップと、第１の記憶再生装置の情報と第２の記録再生装置の情報を保存する共有の記憶装置の第１の再生装置の情報を更新するステップと、情報表示設定が表示なしの時、あるいは編集中か判断し、第１の記録再生装置が編集元装置の場合、処理を終了させるステップと、表示範囲が全ての記録再生装置の時、共有の記憶装置の第２の再生装置の情報を取得し、第１の表示用バッファの情報を更新するステップと、現在画面に情報が表示されていない場合は、第１の表示用バッファの内容を画面に表示するステップと、表示終了用タイマー処理を設定するステップがあり、そうでない場合は、表示中の情報を更新するステップと、表示終了用タイマーが設定されている場合は、時間を再設定するステップとを実行するプログラム。
【請求項９】
アナログ信号を記録再生できる１つ又は複数の第１の記録再生装置と、デジタル信号を記録再生できる第２の記録再生装置と、情報表示の設定を判断する回路と、現在の記録再生装置の状態が編集かどうか判断する回路と、表示範囲を判断する回路と、現在情報表示中か判断する回路と、表示終了用タイマーが設定中か判断する回路を有し、現在画面に選択されている記録再生装置が第２の記録再生装置であり、第２の記録再生装置の情報が変化した際の記録再生装置において、第２の記録再生装置の表示用バッファの情報を更新するステップと、第１の記憶再生装置の情報と第２の記録再生装置の情報を保存する共有の記憶装置の第２の再生装置の情報を更新するステップと、情報表示設定が表示なしの時、あるいは編集中か判断し、第２の記録再生装置が編集元装置の場合、処理を終了させるステップと、表示範囲が全ての記録再生装置の時、共有の記憶装置の第２の再生装置の情報を取得し、第２の表示用バッファの情報を更新するステップと、現在画面に情報が表示されていない場合は、第２の表示用バッファの内容を画面に表示するステップと、表示終了用タイマー処理を設定するステップがあり、そうでない場合は、表示中の情報を更新するステップと、表示終了用タイマーが設定されている場合は、時間を再設定するステップとを実行するプログラム。
【請求項１０】
アナログ信号を記録再生できる１つ又は複数の第１の記録再生装置と、デジタル信号を記録再生できる第２の記録再生装置と、情報表示の設定を判断する回路と、表示範囲を判断する回路と、現在情報表示中か判断する回路を有し、現在画面に選択されている記録再生装置が第１の記録再生装置であり、第２の記録再生装置の情報が変化した際の記録再生装置において、第２の記録再生装置の表示用バッファの情報を更新するステップと、第１の記憶再生装置の情報と第２の記録再生装置の情報を保存する共有の記憶装置の第２の再生装置の情報を更新するステップと、現在画面に情報が表示されていない場合は、処理を終了するステップと、そうでない場合、表示範囲の設定が全ての記録再生装置の場合は、共有の記憶装置の第１の再生装置の情報を取得し、第２の表示用バッファの情報を更新するステップと表示中の情報を更新するステップとを実行するプログラム。
【請求項１１】
アナログ信号を記録再生できる１つ又は複数の第１の記録再生装置と、デジタル信号を記録再生できる第２の記録再生装置と、情報表示の設定を判断する回路と、表示範囲を判断する回路と、現在情報表示中か判断する回路を有し、現在画面に選択されている記録再生装置が第２の記録再生装置であり、第１の記録再生装置の情報が変化した際の記録再生装置において、第１の記録再生装置の表示用バッファの情報を更新するステップと、第１の記憶再生装置の情報と第２の記録再生装置の情報を保存する共有の記憶装置の第１の再生装置の情報を更新するステップと、現在画面に情報が表示されていない場合は、処理を終了するステップがあり、そうでない場合、表示範囲の設定が全ての記録再生装置の場合は、共有の記憶装置の第２の再生装置の情報を取得し、第１の表示用バッファの情報を更新するステップと表示中の情報を更新するステップとを実行するプログラム。
【請求項１２】
アナログ信号を記録再生できる１つ又は複数の第１の記録再生装置と、デジタル信号を記録再生できる第２の記録再生装置と、現在情報表示中か判断する回路と表示終了用タイマーが設定中か判断する回路を有し、使用者が、操作によって画面表示させる場合の記録再生装置において、表示部が現在画面に情報が表示されていない場合は、第１の記録再生装置と第２の記録再生装置の情報を共有の記憶装置から取得するステップと、前記取得した情報に表示用バッファを更新するステップと、情報を表示させるステップがあり、そうでない場合、表示終了用タイマーが設定されている場合は、表示用タイマーの設定を解除するステップがあり、そうでない場合は、表示の終了操作するステップとを実行するプログラム。
【発明の詳細な説明】
【技術分野】
【０００１】
本発明は、アナログ記録再生装置とデジタル記録再生装置を一つの筐体内に有する記録再生可能な機器に関するものである。
【背景技術】
【０００２】
近年、デジタル技術の目覚しい発展をとげ、Ｄｉｇｉｔａｌ  Ｖｅｒｓａｔｉｌｅ  Ｄｉｓｃ（以下、ＤＶＤ）をはじめ、ハードディスクドライブ（以下、ＨＤＤ），Ｓｅｃｕｒｅ  Ｄｉｇｉｔａｌ  ｍｅｍｏｒｙ  Ｃａｒｄ（以下、ＳＤカード）ＰＣＭＣＩＡカード（以下、ＰＣカード）ブルーレイディスク（以下、ＢＤ）などを代表とするデジタル記録再生機器が実用化され販売される。しかし、前記デジタル記録再生装置はまだまだ高価な機器であり、ビデオカセットレコーダ（以下、ＶＣＲ）を代表とするアナログ記録再生装置も未だに市場ニーズがあります。
【０００３】
また、アナログとデジタル両方のニーズにこたえるため、前記アナログ記録再生装置と前期デジタル記録再生装置を一つの筐体内に有する記録再生可能な機器（以下、融合機）も既に誕生し、販売され使用されています。
【０００４】
しかし、前記融合機の構成は図２６で示すように、２６０１はユーザーが直接操作するための操作部、２６０２は時間により割り込み処理発生させるタイマー、各部・各装置へ処理を指示する制御部、前記制御部による指示・動作の結果を受信するイベント検知部を有する制御装置、２６０３は前記ＶＣＲなどを代表とするアナログ記録再生装置、２６０４は前記アナログ記録再生装置の音声・音多情報変化、デッキモード変化、画面モード変化、受信チャンネル情報等（以下、アナログ装置情報）の流れ、２６０5は前記アナログ装置情報の変化を蓄えておくアナログ表示用バッファ、２６０６は前記アナログ表示バッファのアナログ装置情報を画面に表示するためのアナログ表示部（ユーザーインターフェイス）、２６０７はアナログ記録再生装置から出力される映像信号、２６０８は前記ＤＶＤ、ＨＤＤ、ＳＤカード、ＰＣカード、ＢＤなどを代表とするデジタル記録再生装置、２６０９は前記デジタル記録再生装置の音声・音多情報変化、デッキモード変化、画面モード変化、受信チャンネル情報等（以下、デジタル装置情報）の流れ  ２６１０は前記デジタル装置情報の変化を蓄えておくデジタル表示用バッファ、２６１１は前記デジタル表示バッファのデジタル装置情報を表示するためのデジタル表示部（ＵＩ）、２６１２はデジタル記録再生装置から出力される映像信号、２６１３はエンコーダ、デコーダ、映像合成機などを有し各出力映像と各表示部を合成し、モニタに出力する映像処理部（図２６ではアナログとデジタルで同じものを使っているが別々に用意してもよい）である。
【０００５】
そのため、それぞれの記録再生装置がそれぞれ独立した装置情報、表示部を有し、その個々の装置情報のみを表示部に表示する機能有しているが、一度にすべての装置情報を表示できないため機器全体の装置情報の確認が煩雑になる。
【特許文献１】特開２００１−３５７６６１号公報
【発明の開示】
【発明が解決しようとする課題】
【０００６】
融合機において、現在、画面出力に選択されている記録再生装置でない記録再生装置の情報を見るためには、前記記録再生装置を一度、画面出力できるように選択し、装置情報を表示させなければ装置情報を取得できず、使用者は複雑な手順を実行しなければ、装置情報を確認できず、本来継続して表示させていたい記録再生装置を画面出力から切り換えを行わなければならない。また、同時にすべてのアナログ・デジタル記憶再生装置のすべての装置情報を一目で確認できない点である。
【課題を解決するための手段】
【０００７】
本発明は、アナログ記録再生装置の装置情報とデジタル記録再生装置の装置情報をリアルタイムに記録することができる記憶装置を有し、アナログ記憶再生装置とデジタル記憶再生装置双方から装置情報の変化により、装置情報更新でき、必要に応じて自由に取得、加工することにより、画面出力に設定されている記録再生装置の切り替えをしないで、すべての装置情報を一目観覧できるインターフェイスを有することを特徴とする。また、設定により、従来通り、カレント装置情報のみの表示させることも可能である。
【発明の効果】
【０００８】
本発明は、アナログ記録再生装置の情報とデジタル記録再生装置の情報を共有する伝達手段を有し、すべての記録再生装置の情報を一覧表示することができるユーザーインターフェイスを設けることにより、ユーザーはより簡単な操作で、また、出力画面切り替えをすることなく、アナログ記録再生装置やデジタル記録再生装置を意識することなく、すべての記録再生装置の情報を得ることが可能となる。
【発明を実施するための最良の形態】
【０００９】
本発明の請求項１に記載の発明は，アナログ信号を記録再生できる１つ又は複数の第１の記録再生手段と、デジタル信号を記録再生できる第２の記録再生手段と、前記第１の記録再生手段と第２の記録再生手段共用の情報を保持できる記憶手段と、前記記憶手段から情報を取得できる取得手段と、前記取得したデータを変更できる加工手段と、前記加工手段により加工したデータを第１の記録再生手段の出力に表示するために一時的に記憶させておく第１の一時記憶手段と、前記第１の一時記憶手段に格納されたデータを表示させるための第１のレイアウトの作成手段と、前記加工手段により加工したデータを第２の記録再生手段の出力に表示するために一時的に記憶させておく第２の一時記憶手段と、前記第２の一時記憶手段に格納されたデータを表示させるための第２のレイアウトの作成手段と、前記第１及び第２の一時記憶手段とレイアウト作成手段と映像信号の合成する映像処理手段、第１の記録再生手段と第２の記録再生手段の情報を同時に表示する表示手段とを備えたものである。
【００１０】
請求項２に記載の発明は、内部時間の通知により動作する実行手段と、手段の実行結果情報を検知・取得する検知手段を備えたものである。
【００１１】
請求項３に記載の発明は、アナログ信号を記録再生できる１つ又は複数の第１の記録再生装置と、デジタル信号を記録再生できる第２の記録再生装置と、情報表示の設定を判断する回路と、現在の記録再生装置の状態が編集かどうか判断する回路と、表示範囲を判断する回路と、現在情報表示中か判断する回路と、表示終了用タイマーが設定中か判断する回路を有し、現在画面に選択されている記録再生装置が第１の記録再生装置であり、第１の記録再生装置の情報が変化した際の記録再生装置において、第１の記録再生装置の表示用バッファの情報を更新するステップと、第１の記憶再生装置の情報と第２の記録再生装置の情報を保存する共有の記憶装置の第１の再生装置の情報を更新するステップと、情報表示設定が表示なしの時、あるいは編集中か判断し、第１の記録再生装置が編集元装置の場合、処理を終了させるステップと、表示範囲が全ての記録再生装置の時、共有の記憶装置の第２の再生装置の情報を取得し、第１の表示用バッファの情報を更新するステップと、現在画面に情報が表示されていない場合は、第１の表示用バッファの内容を画面に表示するステップと、表示終了用タイマー処理を設定するステップがあり、そうでない場合は、表示中の情報を更新するステップと、表示終了用タイマーが設定されている場合は、時間を再設定するステップを有するものである。
【００１２】
請求項４に記載の発明は、アナログ信号を記録再生できる１つ又は複数の第１の記録再生装置と、デジタル信号を記録再生できる第２の記録再生装置と、情報表示の設定を判断する回路と、現在の記録再生装置の状態が編集中かどうか判断する回路と、表示範囲を判断する回路と、現在情報表示中か判断する回路と、表示終了用タイマーが設定中か判断する回路を有し、現在画面に選択されている記録再生装置が第２の記録再生装置であり、第２の記録再生装置の情報が変化した際の記録再生装置において、第２の記録再生装置の表示用バッファの情報を更新するステップと、第１の記憶再生装置の情報と第２の記録再生装置の情報を保存する共有の記憶装置の第２の再生装置の情報を更新するステップと、情報表示設定が表示なしの時、あるいは編集中か判断し、第２の記録再生装置が編集元装置の場合、処理を終了させるステップと、表示範囲が全ての記録再生装置の時、共有の記憶装置の第２の再生装置の情報を取得し、第２の表示用バッファの情報を更新するステップと、現在画面に情報が表示されていない場合は、第２の表示用バッファの内容を画面に表示するステップと、表示終了用タイマー処理を設定するステップがあり、そうでない場合は、表示中の情報を更新するステップと、表示終了用タイマーが設定されている場合は、時間を再設定するステップを有するものである。
【００１３】
請求項５に記載の発明は、アナログ信号を記録再生できる１つ又は複数の第１の記録再生装置と、デジタル信号を記録再生できる第２の記録再生装置と、情報表示の設定を判断する回路と、表示範囲を判断する回路と、現在情報表示中か判断する回路を有し、現在画面に選択されている記録再生装置が第１の記録再生装置であり、第２の記録再生装置の情報が変化した際の記録再生装置において、第２の記録再生装置の表示用バッファの情報を更新するステップと、第１の記憶再生装置の情報と第２の記録再生装置の情報を保存する共有の記憶装置の第２の再生装置の情報を更新するステップと、現在画面に情報が表示されていない場合は、処理を終了するステップと、そうでない場合、表示範囲の設定が全ての記録再生装置の場合は、共有の記憶装置の第１の再生装置の情報を取得し、第２の表示用バッファの情報を更新するステップと表示中の情報を更新するステップを有するものである。
【００１４】
請求項６に記載の発明は、アナログ信号を記録再生できる１つ又は複数の第１の記録再生装置と、デジタル信号を記録再生できる第２の記録再生装置と、情報表示の設定を判断する回路と、表示範囲を判断する回路と、現在情報表示中か判断する回路を有し、現在画面に選択されている記録再生装置が第２の記録再生装置であり、第１の記録再生装置の情報が変化した際の記録再生装置において、第１の記録再生装置の表示用バッファの情報を更新するステップと、第１の記憶再生装置の情報と第２の記録再生装置の情報を保存する共有の記憶装置の第１の再生装置の情報を更新するステップと、現在画面に情報が表示されていない場合は、処理を終了するステップがあり、そうでない場合、表示範囲の設定が全ての記録再生装置の場合は、共有の記憶装置の第２の再生装置の情報を取得し、第１の表示用バッファの情報を更新するステップと表示中の情報を更新するステップを有するものである。
【００１５】
請求項７に記載の発明は、アナログ信号を記録再生できる１つ又は複数の第１の記録再生装置と、デジタル信号を記録再生できる第２の記録再生装置と、現在情報表示中か判断する回路と表示終了用タイマーが設定中か判断する回路を有し、使用者が、操作によって画面表示させる場合の記録再生装置において、表示部が現在画面に情報が表示されていない場合は、第１の記録再生装置と第２の記録再生装置の情報を共有の記憶装置から取得するステップと、前記取得した情報に表示用バッファを更新するステップと、情報を表示させるステップがあり、そうでない場合、表示終了用タイマーが設定されている場合は、表示用タイマーの設定を解除するステップがあり、そうでない場合は、表示の終了操作するステップを有するものである。
【００１６】
請求項８に記載の発明は、アナログ信号を記録再生できる１つ又は複数の第１の記録再生装置と、デジタル信号を記録再生できる第２の記録再生装置と、情報表示の設定を判断する回路と、現在の記録再生装置の状態が編集かどうか判断する回路と、表示範囲を判断する回路と、現在情報表示中か判断する回路と、表示終了用タイマーが設定中か判断する回路を有し、現在画面に選択されている記録再生装置が第１の記録再生装置であり、第１の記録再生装置の情報が変化した際の記録再生装置において、第１の記録再生装置の表示用バッファの情報を更新するステップと、第１の記憶再生装置の情報と第２の記録再生装置の情報を保存する共有の記憶装置の第１の再生装置の情報を更新するステップと、情報表示設定が表示なしの時、あるいは編集中か判断し、第１の記録再生装置が編集元装置の場合、処理を終了させるステップと、表示範囲が全ての記録再生装置の時、共有の記憶装置の第２の再生装置の情報を取得し、第１の表示用バッファの情報を更新するステップと、現在画面に情報が表示されていない場合は、第１の表示用バッファの内容を画面に表示するステップと、表示終了用タイマー処理を設定するステップがあり、そうでない場合は、表示中の情報を更新するステップと、表示終了用タイマーが設定されている場合は、時間を再設定するステップとを実行するプログラムである。
【００１７】
請求項９に記載の発明は、アナログ信号を記録再生できる１つ又は複数の第１の記録再生装置と、デジタル信号を記録再生できる第２の記録再生装置と、情報表示の設定を判断する回路と、現在の記録再生装置の状態が編集かどうか判断する回路と、表示範囲を判断する回路と、現在情報表示中か判断する回路と、表示終了用タイマーが設定中か判断する回路を有し、現在画面に選択されている記録再生装置が第２の記録再生装置であり、第２の記録再生装置の情報が変化した際の記録再生装置において、第２の記録再生装置の表示用バッファの情報を更新するステップと、第１の記憶再生装置の情報と第２の記録再生装置の情報を保存する共有の記憶装置の第２の再生装置の情報を更新するステップと、情報表示設定が表示なしの時、あるいは編集中か判断し、第２の記録再生装置が編集元装置の場合、処理を終了させるステップと、表示範囲が全ての記録再生装置の時、共有の記憶装置の第２の再生装置の情報を取得し、第２の表示用バッファの情報を更新するステップと、現在画面に情報が表示されていない場合は、第２の表示用バッファの内容を画面に表示するステップと、表示終了用タイマー処理を設定するステップがあり、そうでない場合は、表示中の情報を更新するステップと、表示終了用タイマーが設定されている場合は、時間を再設定するステップとを実行するプログラムである。
【００１８】
請求項１０に記載の発明は、アナログ信号を記録再生できる１つ又は複数の第１の記録再生装置と、デジタル信号を記録再生できる第２の記録再生装置と、情報表示の設定を判断する回路と、表示範囲を判断する回路と、現在情報表示中か判断する回路を有し、現在画面に選択されている記録再生装置が第１の記録再生装置であり、第２の記録再生装置の情報が変化した際の記録再生装置において、第２の記録再生装置の表示用バッファの情報を更新するステップと、第１の記憶再生装置の情報と第２の記録再生装置の情報を保存する共有の記憶装置の第２の再生装置の情報を更新するステップと、現在画面に情報が表示されていない場合は、処理を終了するステップと、そうでない場合、表示範囲の設定が全ての記録再生装置の場合は、共有の記憶装置の第１の再生装置の情報を取得し、第２の表示用バッファの情報を更新するステップと表示中の情報を更新するステップとを実行するプログラムである。
【００１９】
請求項１１に記載の発明は、アナログ信号を記録再生できる１つ又は複数の第１の記録再生装置と、デジタル信号を記録再生できる第２の記録再生装置と、情報表示の設定を判断する回路と、表示範囲を判断する回路と、現在情報表示中か判断する回路を有し、現在画面に選択されている記録再生装置が第２の記録再生装置であり、第１の記録再生装置の情報が変化した際の記録再生装置において、第１の記録再生装置の表示用バッファの情報を更新するステップと、第１の記憶再生装置の情報と第２の記録再生装置の情報を保存する共有の記憶装置の第１の再生装置の情報を更新するステップと、現在画面に情報が表示されていない場合は、処理を終了するステップがあり、そうでない場合、表示範囲の設定が全ての記録再生装置の場合は、共有の記憶装置の第２の再生装置の情報を取得し、第１の表示用バッファの情報を更新するステップと表示中の情報を更新するステップとを実行するプログラムである。
【００２０】
請求項１２に記載の発明は、アナログ信号を記録再生できる１つ又は複数の第１の記録再生装置と、デジタル信号を記録再生できる第２の記録再生装置と、現在情報表示中か判断する回路と表示終了用タイマーが設定中か判断する回路を有し、使用者が、操作によって画面表示させる場合の記録再生装置において、表示部が現在画面に情報が表示されていない場合は、第１の記録再生装置と第２の記録再生装置の情報を共有の記憶装置から取得するステップと、前記取得した情報に表示用バッファを更新するステップと、情報を表示させるステップがあり、そうでない場合、表示終了用タイマーが設定されている場合は、表示用タイマーの設定を解除するステップがあり、そうでない場合は、表示の終了操作するステップとを実行するプログラムである。
【００２１】
以下、本発明の実施の形態については図面を用いて説明する。
【００２２】
（実施の形態１）
図１は本発明の実施の形態１での融合機の構成を示すブロック図である。
【００２３】
図１において、１０１はユーザーが直接操作するものであり、リモートコントローラ（以下、リモコン）や本体の操作パネルに相当するものである。
【００２４】
１０２は時間経過を知らせるタイマー、各部・各装置の動作状態を受信する動作検地部、融合機全体の動作を管理する制御部を内蔵する制御装置であり、マイクロコンピュータ（以下、マイコン）等に相当する。
【００２５】
１０３はアナログ映像音声信号情報を記録再生可能な装置であり、媒体であり、ＶＣＲ本体、磁気テープ媒体、いわゆるビデオテープに相当するものである。また、実施の形態１において、代表例としてビデオテープを上げているが、アナログ映像音声信号を記録できる媒体、装置であればよい。また、複数のアナログ記録再生装置でもよい。
【００２６】
１０４はアナログ記録再生装置から出力されている、アナログ音声・音多情報、アナログ記録再生装置の装置状態（例えば、現在、再生中なのか、一時停止中なのか）などの変化などを伝える信号の流れである。１０３から１０５、１０３から１１４へは変化発生と同期し、同じ情報が書き込まれる。複数のアナログ記録再生装置を有する複合機の場合は、変化した記録再生装置の情報のみを更新する。１１４から１１０へは非同期で、１０２の制御部からの要求により、すべてのアナログ記録再生装置の情報が通知され、１１０のデジタル表示バッファのアナログ情報を書き換える。
【００２７】
１０５は１０６の表示部に表示させるために、アナログ記録再生装置情報とデジタル記録再生装置の情報を蓄え、融合機の状態により、表示する内容を加工するための領域である。
【００２８】
１０６はアナログ用の表示部であり、前記、キャッシュ領域をユーザーが見やすいようにレイアウトしたユーザーインターフェイスそのものである。
【００２９】
１０７はアナログ記録再生装置により出力される、チューナーの映像・音声信号、の流れを表しています。
【００３０】
１０８はデジタル映像音声信号情報を記録再生することができる装置であり、また、デジタル映像音声信号情報を記録できる媒体であり、ＤＶＤのように、装置に対して着脱自在なデジタル記録媒体だけでなく、ＨＤＤのような固定式のデジタル記録媒体、ＳＤ／ＰＣカードのようなモバイルを前提とした小型の大容量メディア、ＢＤのような次世代のデジタル記録媒体・装置であってもよい。また、複数のデジタル記録再生装置・複数のデジタル記録媒体に対応することができる。
【００３１】
１０９は前記デジタル記録再生装置から出力されている、デジタル記録再生装置の音声情報・音多情報、デジタル記録再生装置の装置状態の変化などを伝える信号流れであり、１０８から１１４、１０８から１１０への流れは変化の発生と同時に同期処理で、同じ情報が通知、書き込まれる。デジタル記録再生装置が複数有する融合機においては、変化の発生したデジタル記録再生装置の情報のみを通知し更新する。その他のデジタル記録再生装置は更新してもしなくてもどちらでもよい。また１１０から１１１への情報通知は、１０２の記制御装置の命令により実行され、すべてデジタル記録再生装置の装置情報を１１１のデジタル表示用のバッファに格納する。
【００３２】
１１０は１１１のデジタル用表示部にデジタル記録再生装置情報とアナログ記録再生装置情報を備え、融合機の状態により、表示する内容を加工するための領域である。
【００３３】
１１１はデジタル用の表示部であり、前記、キャッシュ領域をユーザーが見やすいようにレイアウトしたユーザーインターフェイスであり、本発明の特徴の一つである。
【００３４】
１１２はデジタル記録再生装置により出力される、チューナーの映像・音声信号の流れを表しています。
【００３５】
１１３はＡＤ変換機、ＤＡ変換機、エンコーダ、デコーダ、映像合成機を有する、映像信号全般の処理を行う部分であり、アナログ映像音声信号情報に、アナログ用表示バッファの内容を含む、アナログ用ユーザーインターフェイスを合成しテレビなどの出力装置に表示し、デジタル映像音声信号をエンコードし、デジタル用表示バッファ内容を含む、デジタル用インターフェイスを合成し、出力のためデコーダにてアナログ映像音声信号情報に変換し、前記出力装置にデジタル記録再生装置の映像を表示する。また、映像処理部にて、ノイズフィルタやデジタルフィルタなどを用い、高画質化できる。実施の形態１では、アナログ映像音声信号情報も、デジタル映像音声信号情報も同じ１つ出力装置に出力されるが、別々の出力装置であってもよい。
【００３６】
図２はデジタル記録再生装置の表示例を表示したものである。２０１はデジタル記録再生装置が動作中以外は現在放送されている選局中の番組画面、あるいはスクリーンセーバが張られている。２０２はデジタル記録再生装置側のユーザーインターフェイスである。
【００３７】
図３は図２の２０２を拡大表示したものであり、３０１は、デジタル記録再生装置側の情報を表示する領域である。複数のデジタル記録再生装置がある場合はカレント装置を上に表示することにより現在どのデジタル記録再生装置が画面出力に選択されているか把握することができる。
【００３８】
３０２はデジタル記録再生装置から出力される際の裏装置に当たるアナログ記録再生装置の情報を表示する。また図の３でデジタル記録再生装置の表示領域（３０１）とアナログ記録再生装置の表示領域（３０２）は同じ大きさに記述してあるが、同じサイズとは限らない。また、各領域はアナログ記録再生装置・デジタル記録再生装置の双方の情報を表示することができ、各記録再生装置の数や、記録再生装置状態により、使用者にとって必要な情報を状態ごとに自動で選び、加工して表示する。
【００３９】
図4はアナログ記録再生装置から出力される画面の一例であり、４０１はアナログ記録再生装置の装置情報を表示する領域であり、４０２はデジタル記録再生装置の装置情報を表示する領域である。図４の例では、それぞれ1行であらわしているが、搭載している記録再生装置の数や、各記録再生装置の状態により、使用者にとって現在必要とする情報の形に自動的に加工して表示する特徴を有する。
【００４０】
ユーザーインターフェイスを表示し、使用者に情報を通知するタイミングは、視聴番組が変わった時、視聴番組の音声2重放送の番組でオートバイリンガルチョイス（自動音声選択）動作時、あるいは、リモコンから使用者が音声を切り替え、音声情報がＬＲからＬ、ＬからＲ、ＲからＬＲに変化した時、各記録再生装置の動作状態が変化した時（再生、停止、早送り、一時停止など）のような、記録再生装置の変化の結果表示させる受動的表示と、使用者が、現在の情報を知るために、リモコンなどから、表示ボタンを押すことにより表示する能動的表示の2つに分かれる。
【００４１】
図５と図６を用いて、ＤＶＤとＶＣＲの融合機でＤＶＤの音声出力情報が、ＬＲ出力からＬ出力に変化した時を例に実施の形態１における処理の流れを説明する。
【００４２】
図５は現在画面出力に選択されている記録再生装置の状態が変化した時の、ユーザーインターフェイスの表示の流れを示すフローチャートであり、単に、オートバイリンガルチョイスのように使用者の操作と無関係に発生する変化のみでなく、使用者がリモコン操作あるいは、融合機のフロントパネルを操作した動作の結果、状態が変化したときも同様の処理を実施する。
【００４３】
図５において現在画面出力に選択している記録再生装置に変化発生した時、Ｓ５０１で図１の１０２のマイコンは、現在画面出力に選択している記録再生装置が、ＤＶＤ出力情報の変化によるものか、ＶＣＲ出力情報の変化によるものかを判断し、ＤＶＤ出力情報の変化の場合は、デジタル表示用バッファを、ＶＣＲ出力情報の変化の場合は、アナログ表示用バッファの装置情報を更新する。つまり、現在画面に出力されている記録再生装置はＤＶＤであり、ＤＶＤ表示用バッファを更新する。
【００４４】
Ｓ５０２でＤＶＤとＶＣＲで情報を共有化するため、図１の１１４で示すメモリ（揮発性メモリでも不揮発性メモリでもどちらでもよい）のＳ５０１の処理で判断されたドライブの装置情報を更新する。つまり、メモリのＤＶＤの音声出力情報を更新する。また、Ｓ５０１とＳ５０２で更新する装置情報は同じものであり、情報の整合性を保つため同期処理で行うので、実際はＳ５０１とＳ５０２の処理の順は特に考慮する必要は無い。
【００４５】
Ｓ５０３で図１の１０２のマイコンは図１の１１４で示すメモリに格納されている融合機の画面に関する設定情報を取得し、情報を表示するかしないかを判断する。使用者が、表示しないに設定されている場合は、使用者が情報を必要としていないため、表示実行処理を終了する。前記Ｓ５０２で図１の１１４のメモリは揮発性メモリ、不揮発性メモリを問わないと記述したが、設定情報を同一メモリに記憶している場合は不揮発性メモリでなければならない。図１の１１４が揮発性メモリの場合は、設定情報を格納しておく不揮発性メモリを別に用意する必要がある。
【００４６】
Ｓ５０４で図１の１０２のマイコンは現在画面出力に選択されている記録再生装置が、ダビング中であり、ダビングの再生中の記録再生装置か判断する。前記判断により、マイコンがダビング元記録再生装置と判断された場合は、ダビング先の記録再生装置に装置情報のユーザーインターフェイスも記録してしまう恐れがあるため望ましくない。そのため、ダビング元に指定されている記録再生装置は、設定内容や、ユーザーの意志に関係なく表示させないようにマイコンで制御する。つまり、ＤＶＤからＶＣＲへのダビングにおいて、ＤＶＤの情報を画面に表示した場合、ＶＣＲはその画面を含めてダビングしてしまうため、ＤＶＤ側の表示を禁止する必要がある。
【００４７】
Ｓ５０５で図１の１０２のマイコンは図１の１１４あるいは別の設定ファイルが格納されているメモリから表示の範囲を取得する。範囲が全装置を選択している時は、アナログ記録再生装置、デジタル記録再生装置のすべての装置情報を、選択装置の場合は変化した記録再生装置の装置情報のみを表示するか判断する。つまり、全装置を選択している場合はＤＶＤの装置情報とＶＣＲの装置情報を、選択装置の場合は従来通りＤＶＤの装置情報のみを表示する必要がある。今回一例のため、設定が表示と範囲の２つの項目になっているが、一つに統合してもよい。
【００４８】
Ｓ５０６は、前記Ｓ５０５でマイコンが、全記録再生装置を表示する際に、デジタル表示用バッファにおける、アナログ記録再生装置の装置情報、アナログ表示用バッファにおける、デジタル記録再生装置情報は非同期であり、最新の装置情報常に更新していないため、表示する直前に最新情報に更新する必要がある。そのため、デジタル記録再生装置の場合は、すべてのアナログ記録再生装置の装置情報を、アナログ記録再生装置の場合は、すべてのデジタル記録再生装置の装置情報をメモリより取得し各表示用バッファを更新する。つまり、デジタル表示用バッファのＶＣＲの装置情報は、異なっている可能性があるため、ＤＶＤ出力画面にＶＣＲ情報を付加して表示するためには、最新のＶＣＲ情報が必要になり、メモリから取得し、表示バッファを更新する。
【００４９】
Ｓ５０７でマイコンは、現在出力中の画面に、既にユーザーインターフェイスが表示中か判断する。表示されていない場合は、Ｓ５０８へと処理が進み表示用バッファの内容をユーザーインターフェイスを通して画面に表示させる。Ｓ５０９で、表示を終了するためのタイマーをセットする。つまり、ＤＶＤ出力画面にユーザーインターフェイスは表示されていないので、新たに表示させる必要があり、使用者がその情報を取得後に表示を止める必要があるので表示終了用の１０秒タイマーをセットします。（１０秒は一例）
前記Ｓ５０７の処理で、マイコンが既にユーザーインターフェイスを表示していると判断した時は、現在表示している内容と、変化後の内容が異なるので、Ｓ５１０で表示している内容を更新する。つまり、元々ＤＶＤ音声出力情報が、ＬＲ表示していたところをＬ表示に更新する必要があり、ＶＣＲ情報も変わっている可能性がある。
【００５０】
Ｓ５１１でマイコンは、ユーザーインターフェイスの現在の表示が、ユーザーの意志による表示中か、情報通知のための表示か判断する。その判断基準として、表示終了タイマーの動作により判断すし、タイマーが動作中であれば、Ｓ５１２で表示時間の延長する必要があるため、タイマーセット時間をリセットする。それ以外の場合は使用者の意志により表示しているものであり、使用者の意志以外で表示を終了してはいけない。
【００５１】
図６は現在画面出力している記録再生装置以外の装置状態の変化の際の表示の流れをあらわすフローチャートであり、実施の形態１において現在出力している記録再生装置をＤＶＤとし、ＶＣＲのチャンネルが変化した流れを例にし、説明する。
【００５２】
Ｓ６０１で図１の１０２のマイコンにより、デジタル記録再生装置の場合は、デジタル表示用バッファを更新し、アナログ記録再生装置の場合は、アナログ表示用バッファを更新する。つまり、現在出力画面に選択している記録再生装置はＤＶＤであり、ＶＣＲは裏装置状態になっている融合機において、ＶＣＲのチャンネルが変化した際、ＶＣＲ表示用のバッファのＶＣＲのチャンネル情報を更新する。
【００５３】
Ｓ６０２でＤＶＤとＶＣＲで情報を共有化するため、図１の１１４で示すメモリ（揮発性メモリでも不揮発性メモリでもどちらでもよい）のＳ６０１の処理で判断されたドライブの装置情報を更新する。つまり、メモリのＶＣＲのチャンネル情報を更新する。また、Ｓ６０１とＳ６０２で更新する装置情報は同じものであり、情報の整合性を保つため同期処理で行うので、実際はＳ６０１とＳ６０２の処理の順は特に考慮する必要は無い。
【００５４】
Ｓ６０３でマイコンは現在出力画面が選択されているＤＶＤが、ユーザーインターフェイスを表示中かを判断し、表示していない場合は、現在画面出力が選択されているＤＶＤの画面に裏装置の情報変化を表示させる必要は無い。また、裏装置であるＶＣＲがユーザーインターフェイス表示されているか判断し、表示していない場合、Ｓ６０１とＳ６０２のバッファの更新とメモリに対してＶＣＲ情報の更新のみに留める。
【００５５】
そうでない時は、Ｓ６０４で、マイコンはメモリに表示の範囲を取得する。この時、表示の設定は考慮する必要は無い。すべての記録再生地を表示させる場合はＳ６０５で、現在出力画面に設定されている記録再生装置であるＤＶＤの表示内容を変更する場合は、メモリよりアナログ記録再生装置の装置情報を取得し、デジタル用の表示バッファを更新する。現在画面出力に設定されていないＶＣＲの表示内容を更新する場合は、すべてのデジタル記録再生装置の装置情報を、メモリより取得し、アナログ用表示バッファを更新する。
【００５６】
Ｓ６０６で各表示用バッファと実際に表示されている装置情報が異なる場合、表示内容を更新する。この時、ＤＶＤ、ＶＣＲ共に表示終了タイマーはセットしない。
【００５７】
図７は、表示終了用タイマーが実行される際の流れを表したフローチャートであり、Ｓ７０１は、図１の１０２の中のタイマーはマイコンに対して、表示開始後１０秒間経過を通知し、通知を受けた各記録再生装置は、現在の画面出力を有する記録再生装置、前記以外の装置に関わりなく表示を終了させる。
【００５８】
図８は、使用者がリモコンの（一例として）画面表示を押すことにより、能動的に現在の記録再生装置の装置情報を取得する際の流れのフローチャートである。また、このフローチャートは、現在出力画面を選択している記録再生装置側、前記以外の装置は特に意識する必要は無く、押された方のみを当てはめればよい。一例として、現在の画面出力を選択している記録再生装置をＤＶＤ、その他の装置をＶＣＲとし、リモコンで画面表示が押された場合の処理の流れを説明する。
【００５９】
使用者が、画面表示ボタンを押した際、マイコンはＳ８０１で現在ユーザーインターフェイスが表示中かを判断する。表示されていない場合、Ｓ８０２の処理で、現在画面出力を設定されている記録再生装置がデジタル記録再生装置か、アナログ記録再生装置かを判断し、デジタル記録再生装置の場合はすべてのアナログ記録再生装置の装置情報をメモリから取得し、デジタル出力用バッファを更新する。アナログ記録装置と判断した場合は、すべてのデジタル記録再生装置の情報をメモリより取得し、アナログ表示用バッファの装置情報を更新する。つまり、例ではＤＶＤなので、メモリから現在ＶＣＲの装置情報を取得し、表示用領域の装置情報を更新する。
【００６０】
Ｓ８０３にて前記ＤＶＤ表示領域をユーザーインターフェイスを通して、表示する。この場合、使用者が情報を取得したいという意志により表示させているので、表示終了タイマーは使用しない。消す場合は再度、画面表示を押す必要がある。
【００６１】
前記Ｓ８０１のマイコンによって、現在ユーザーインターフェイス表示中の場合、Ｓ８０４にて、現在表示終了タイマーがセットされているか確認する。
【００６２】
前記Ｓ８０４にて、表示終了タイマーが設定されている場合、使用者が、画面表示ボタンを押す前に、装置状態が変化したことにより、表示している画面である。使用者が前記ボタンを押す時は、情報取得が目的のため、表示を１０秒で終了させず継続させる必要があるため、Ｓ８０５の処理で表示終了タイマーを解除する。（もともと表示中のため、改めて表示する必要も無い。）
前記Ｓ８０４で表示終了タイマーが動作していない表示は、使用者の意志によりリモコンから画面表示を押した時だけである。その状態で、使用者が再びリモコンで画面表示を押す理由は、ユーザーインターフェイスを終了させる時である。したがって、Ｓ８０６の処理で、ユーザーインターフェイスの表示を終了させる。
【００６３】
以下、図９から図２５を用いて前記流れで表示されるユーザーインターフェイス及び、表示内容の一例を説明する。
【００６４】
図９はＤＶＤとＶＣＲの２ｉｎ１の融合機の通常状態での表示するインターフェイスの一例であり、９０１は現在画面出力に選択されているデジタル記録再生装置の名前であり、この例ではメディアが挿入されていないためＤＶＤである。メディアが挿入された時は、各メディア名（例：ＤＶＤ−ＲＡＭ，ＤＶＤ−ＶＩＤＥＯ（ファイナライズされたＤＶＤ−Ｒも含む），ＤＶＤ−Ａ，ＤＶＤ−Ｒ，ＤＶＤ−ＲＯＭなど）が表示される。
【００６５】
９０２は現在チューナーが何処の放送局を選局しているのか表示され、例では毎日放送（６ｃｈ）を受信している。また、メディア再生時は動作状態（再生，一時停止、早送り、早戻し、スロー再生，逆再生など）を表示する。
【００６６】
９０３はＤＶＤが停止状態である時は、現在画面出力されている記録再生装置の音声出力情報を表示し、ＤＶＤ動作中はＤＶＤから出力されている音声出力情報を表示する。
【００６７】
９０４は補助情報を表示する。例では、メディアが挿入されていないので、Ｎｏ  Ｄｉｓｃと表示され、何らかのディスクが挿入されている場合は、そのＤｉｓｃに収録されている番組数（ＰＧ数）とすべての番組を再生した時の、総時間が表示される。再生中に関しては、現在の番組番号（Ｄｉｓｃ内の何番目の番組か）とその番組の再生時間を表示する。
【００６８】
９０５はアナログ記録再生装置名であり、本例ではＶＣＲと表示する。
【００６９】
９０６は前記記録再生装置の状態を表示する領域であり、例としてＶＣＲが再生中を表示している。また、停止中は、現在アナログ記録再生装置が受信している放送局番号が表示される。１チューナーしか所有しない融合機の場合は必ず９０２のＤＶＤの放送局番号と９０６の放送局番号は一致していなければならないがＬｉｎｅなどチューナー依存しない場合は独立することができる。
【００７０】
９０７は現在の音声出力情報を表示する。例ではＶＣＲに記録されている映像音声信号をＬＲ出力で再生している。
【００７１】
９０８は補助情報を表示し、例では、現在のテープの再生時間を表示している。
【００７２】
図１０は前記２ｉｎ１融合機における、ダビング実行時のデジタル記録再生装置用のユーザーインターフェイス一例であり、１００１は現在画面出力に選択されている記録録画装置名であり、ダビング中であることを明記するため、ダビング元記録再生装置名とダビング後記録再生装置名とダビング中と表示する。図１０の表示例ではＶＨＳからＤＶＤへのダビングを表示させている。１００２はデジタル記録再生装置の現在記録中の媒体名を表示させる。例として、ＶＨＳからＤＶＤ−ＲＡＭへのダビング想定しており、１０２の領域にはＤＶＤ−ＲＡＭが表示されている。
【００７３】
１００３は現在のダビングモードを表している。例ではＤＶＤ−ＲＡＭへのコピーであるので柔軟にコピーできるようにＦＲ（フレキシブルレコーディング）と表示させている。各記録再生装置の固有の録画モード名を表示することが可能である。
【００７４】
１００４は、現在のテレビに出力されている出力音声情報を表示する。
【００７５】
１００５は現在ダビングの進捗度を表示する領域である。例では進捗をパーセンテージ標記しているが、残り時間を表示させることも可能である。
【００７６】
また、前記１００５の領域以下が大きく余っているが、この例では２ｉｎ１融合機では特に使用しないが、使用することも可能である。
【００７７】
図１１は２ｉｎ１融合機におけるアナログ記録再生装置から出力されるユーザーインターフェイス表示の一例であり、１１０１は現在画面出力に選択されているアナログ記録再生装置名を表示している。図ではＶＣＲが表示される。
【００７８】
１１０２は現在画面出力に選択されているアナログ記録再生装置の受信している放送局番あるいは状態が表示される。表示例ではＶＣＲはカセット無し状態で表示させているため、受信している読売テレビ（１０ｃｈ）が表示される。
【００７９】
１１０３は現在画面出力されている記録再生装置の音声出力情報を表示する。大抵の場合はＬＲ出力であるが、音声多重放送の場合や使用者によって切り替えた時、Ｌ出力、Ｒ出力表示する。
【００８０】
１１０４は現在画面出力に選択されているアナログ記録再生装置の媒体情報を表示する。表示例はカセット無しのため特に表示していない。「Ｎｏ  Ｔａｐｅ」や「カセット無し」など、情報を表示することも可能である。ＶＣＲの場合、カセット挿入時に磁気テープの位置に関係なく、現在の位置を０と表示する。１１０５は現在画面出力に選択されていないデジタル記録再生装置の装置名を表示する。ＤＶＤの場合は挿入した媒体によりそれぞれ表示することが可能である。判別不能媒体の場合はディスク未挿入と同じ扱いとなる。例ではＤＶＤ−Ｒを挿入した表示例である。
【００８１】
１１０６は現在のデジタル記録再生装置の前記デジタル記録再生装置の受信している放送局番あるいは状態が表示される。表示例ではＤＶＤ−Ｒは再生された状態で一時停止状態になっている。
【００８２】
１１０７はＤＶＤから出力されている音声出力情報を表示する。例では、ＤＶＤ−Ｒで記録してある番組のため、音声出力切り換えができないので常にＬＲ出力になる。
【００８３】
１１０８はデジタル記録再生装置の媒体情報を表示する。表示例では、現在ＤＶＤ−Ｒの１２番目のプログラムで２１分１０秒の位置で一時停止している状態を表示している。
【００８４】
図１２は前記２ｉｎ１融合機におけるアナログ記録再生装置から出力されるダビング時のユーザーインターフェイス一例であり、１２０１はダビング方向とダビング中であることを表示する。画面例では、ＤＶＤ−Ｖ（ファイナライズされたＤＶＤ−Ｒ）からＶＣＲへのダビング中と表示する。
【００８５】
１２０２はダビング先に指定されているアナログ記録再生装置の記録方法を表示する。例では、標準／３倍（自動）を指定している。
【００８６】
１２０３はダビングの進捗度を表す領域である。例では、現在までの経過時間を表示しているが、終了までの時間、進捗パーセント表示することも可能である。
【００８７】
図１３から図２２までは３ｉｎ１（ＤＶＤ／ＨＤＤ／ＶＨＳ）融合機の表示例を説明する。（例では前記３つの記録再生装置を上げているが、他の記録再生装置でもよい。）
図１３は、現在画面出力に設定されているデジタル記録再生装置がＤＶＤであり、前記以外の記録再生装置としてデジタル記録再生装置であるＨＤＤとアナログ記録再生装置のＶＣＲを持つ３ｉｎ１融合機の通常時の表示の一例であり、図１４は前記３ｉｎ１融合機で現在画面出力に設定されている記録再生装置がＨＤＤの一例である。
【００８８】
図１３と１４はデジタル記録再生装置側の出力例であるため、アナログ記録再生装置が現在画面出力に設定されている記録再生装置に設定されることは無い。
【００８９】
１３０１は現在画面出力に選択されているデジタル記録再生装置名を表示する領域であり、複数の媒体を扱えるデジタル記録再生装置の場合、使用媒体名を表示する。図１３の例では、ＤＶＤ−ＶＩＤＥＯ（ファイナライズ済ＤＶＤ−Ｒを含む）が挿入されているので、ＤＶＤ−Ｖと表示される。
【００９０】
１３０２は前記デジタル記録再生装置の動作状況、受信放送局を表示する領域であり、例では、ＤＶＤ−Ｒは停止状態であり、現在受信中のＡＢＣ放送（６ｃｈ）が表示される。
【００９１】
１３０３は前記デジタル記録再生装置から出力される音声出力情報を表示する領域であり、例では現在放送中のＡＢＣ放送がＬＲ出力されている。
【００９２】
１３０４はデジタル記録再生装置の媒体情報を表示する。表示例では、現在ＤＶＤ−Ｖは停止状態であり、前記ＤＶＤ−Ｖには、１０個のプログラム、１：００：２３記録されていることを表示している。また、媒体がない時は、入っていないことを表示します。表示例は「Ｎｏ  Ｄｉｓｃ」や「Ｎｏ  Ｍｅｄｉａ」などがある。
【００９３】
１３０５は、画面出力されていないデジタル記録再生装置の装置名表示する領域であり、複数の媒体を扱えるデジタル記録再生装置の場合、使用媒体名を表示する。３ｉｎ１の例では、ＨＤＤが表示される。ＨＤＤは固定のデジタル記録再生装置であるため、必ずＨＤＤと表示する。ただし、アルファベット，略語である必要はない。
【００９４】
１３０６は前記デジタル記録再生装置の動作状況、受信放送局を表示する領域であり、例では、ＨＤＤは停止状態であり、デジタル記録再生装置用チューナーは１つのため前記ＤＶＤと同期して、ＡＢＣ放送（６ｃｈ）が表示されているが、それぞれが独立してチューナーを使用できる融合機の場合、あるいは、ラインなどのチューナーを使用しない場合は必ず同期するとは限らない。
【００９５】
１３０７は、前記デジタル記録再生装置から出力される音声出力情報を表示する領域であり、例では前記ＤＶＤと同期しＬＲ出力表示されているが、前期のようにそれぞれがチューナーを有する場合や、ＤＶＤが再生している場合など、非同期に表示される。
【００９６】
１３０８は前記デジタル記録再生装置の媒体情報（ＨＤＤ）を表示する。表示例では、現在ＨＤＤは停止状態であり、前記ＨＤＤには、１５０個のプログラム、１２４：１６：５９記録されていることを表示している。ＨＤＤのような固定デジタル記録媒体の場合、「媒体無し」と表示されることは原則としてない。ただし、ＨＤＤ故障の場合、その旨を使用者に通知する場合もある。
【００９７】
１３０９はアナログ記録再生装置名であり、本例ではＶＣＲと表示する。
【００９８】
１３１０は前記記録再生装置の状態を表示する領域であり、例としてＶＣＲが再生中を表示している。また、停止中は、現在アナログ記録再生装置が受信している放送局番号が表示される。アナログ記録再生装置とデジタル記録再生装置で１チューナーしか所有しない融合機の場合は必ず１３０２のＤＶＤの１３０６のＨＤＤの放送局番号と一致していなければならない。
【００９９】
１３１１は現在の音声出力情報を表示する。例ではＶＣＲに記録されている映像音声信号をＬＲ出力で再生している。アナログ記録再生装置とデジタル記録再生装置で１チューナーしか所有しない融合機の場合で、受信中放送局表示の場合は必ず１３０３のＤＶＤの１３０７のＨＤＤの出力音声情報と一致していなければならない。
【０１００】
１３１２は補助情報を表示し、例では、現在のテープの再生時間を表示している。
【０１０１】
１４０１は現在画面出力に選択されているデジタル記録再生装置名を表示する領域であり、複数の媒体を扱えるデジタル記録再生装置の場合、使用媒体名を表示する。図１４の例では、ハードディスクが選択されているので、ＨＤＤと表示される。
【０１０２】
１４０２は前記デジタル記録再生装置の動作状況、受信放送局を表示する領域であり、例では、ＨＤＤは再生中であり、再生を意味する記号と再生と表示している。
【０１０３】
１４０３は前記デジタル記録再生装置から出力される音声出力情報を表示する領域であり、例では再生されているプログラムが２重放送で自動音声選択、あるいは使用者が音声切り換えによりＬ出力中をしているため、Ｌと表示している。
【０１０４】
１４０４はデジタル記録再生装置の媒体情報を表示する。表示例では、現在ＨＤＤは再生状態であり、プログラム１の４６分１２秒を再生中である。よって、００：４６：１２と表示している。
【０１０５】
１４０５は、画面出力されていないデジタル記録再生装置の装置名表示する領域であり、複数の媒体を扱えるデジタル記録再生装置の場合、使用媒体名を表示する。３ｉｎ１の例では、Ｄｉｓｃが挿入されていないため、一番ベースになるＤＶＤのみが表示されている。
【０１０６】
１４０６は前記デジタル記録再生装置の動作状況、受信放送局を表示する領域であり、例では、ＨＤＤは再生中であり、チューナーを使用していないので、現在選局中のＡＢＣ放送（６ｃｈ）が表示されている。
【０１０７】
１４０７は、前記デジタル記録再生装置から出力される音声出力情報を表示する領域であり、例ではＤＶＤからＬＲ出力しているので、ＬＲ出力表示する。
【０１０８】
１４０８は前記デジタル記録再生装置の媒体情報を表示する。表示例では、ディスクが挿入されていないのでＮｏ  Ｄｉｓｃと表示している。
【０１０９】
１４０９はアナログ記録再生装置名であり、本例ではＶＣＲと表示する。
【０１１０】
１４１０は前記記録再生装置の状態または、前記記録再生装置が受信中の放送局番を表示する領域であり、例としてＶＣＲは停止状態にあり、ＮＨＫ教育放送（１２ｃｈ）受信しているので１２ｃｈを表示している。デジタル記録再生装置とアナログ記録再生装置は異なるチューナーを使用している例なので、デジタル記録再生装置と異なる送局番号を受信している。
【０１１１】
１４１１は現在の音声出力情報を表示する。例では現在の放送がＬＲ出力されているため、ＬＲ出力と表示されている。
【０１１２】
１４１２は補助情報を表示し、例では、カセット挿入から現在までのテープの走行時間を表示している。
【０１１３】
図１５から図２０は前記３ｉｎ１融合機におけるダビングが絡む動作実行中のデジタル記録再生装置から出力されるユーザーインターフェイスの一例を説明する。
【０１１４】
図１５はＶＣＲからＤＶＤに対して再エンコードダビングしている状態で、画面出力に選択されている記録再生装置がＤＶＤの表示例である。
【０１１５】
１５０１は現在画面出力に選択されている記録再生装置名を記述する領域だが、ダビング中は録画先記録再生装置が出力選択されている場合、ダビング元、ダビング先とダビング中であることを表示する。例ではＶＣＲからＤＶＤへのダビングなので、ＶＣＲ⇒ＤＶＤダビングと表示している。
【０１１６】
１５０２はダビング先記録再生装置がＤＶＤの時に限り表示され、ダビング先の記録再生装置内の媒体を表示する。例ではＤＶＤ−ＲＡＭを想定しているため、ＤＶＤ−ＲＡＭと表示する。ＨＤＤなどの取替え不可能な媒体は１５０２の領域は不要のため、表示されない。また、間隔をつめて表示をする。
【０１１７】
１５０３は現在のデジタル記録装置の録画モードを表示する。表示例としてＦＲ（フレキシブルレコーディング：自動）と表示する。デジタル記録再生装置動詞の場合は高速モードもここに表示する。
【０１１８】
１５０４は現在画面に出力されている音声出力情報を表示する。例ではデジタル記録再生装置がＬＲ出力されているため、ＬＲ出力と表示されている。ただし、この時ＶＣＲからＤＶＤに対するＶＣＲの音声出力は自動音声制御や使用者が音声切り換え後ダビングすることもでき、必ずしもＬＲ出力とは限らない。
【０１１９】
１５０５はダビングの進捗を表示する。例ではパーセンテージで表示しているが、経過時間や、あるいは、残り時間の表示でもよい。
【０１２０】
１５０６は、現在、画面に出力されていないアナログ記録再生装置あるいは、デジタル記録再生装置名を表示する。例では、３ｉｎ１モデルのＶＣＲからＤＶＤへのダビング中でＨＤＤが表示される。
【０１２１】
１５０７は前記記録再生装置の状態あるいは、チューナーから記録再生装置に入力されている放送局名が表示される。例では、ＨＤＤは停止中なので、現在受信しているＡＢＣ放送（６ｃｈ）と表示する。
【０１２２】
１５０８は前記記録再生装置から出力されている音声出力情報を表示する。例では現在の放送がＬＲ出力されているため、ＬＲ出力と表示されている。
【０１２３】
１５０９は前記記録再生装置の媒体情報を表示する。表示例では、ＨＤＤであり、停止状態であり、1５０個のプログラム、１２４：１６：５９記録されていることを表示している。
【０１２４】
図１６は現在画面出力が選択されている記録再生装置がＤＶＤであり、前記以外の記録再生装置同士のダビング、一例としてＶＣＲからＨＤＤへの再エンコードダビングを実行している時の表示例である。
【０１２５】
１６０１は現在画面出力に選択されているデジタル記録再生装置名を表示する領域であり、複数の媒体を扱えるデジタル記録再生装置の場合、使用媒体名を表示する。例では、ＤＶＤ−Ａｕｄｉｏが挿入されているので、ＤＶＤ−Ａと表示する。
【０１２６】
１６０２は前記デジタル記録再生装置の動作状況、受信放送局を表示する領域であり、例では、ＤＶＤ−Ａは再生中であり、再生表示する。
【０１２７】
１６０３は前記デジタル記録再生装置から出力される音声出力情報を表示する領域であり、現在放送中のＤＶＤ−ＡからＬＲ出力しているのでＬＲと表示する。
【０１２８】
１６０４はデジタル記録再生装置の媒体情報を表示する。表示例では、現在ＤＶＤ−ＡはＴｒａｃｋ３番目の曲を再生しており、再生時間は２分１５秒であり、「Ｔｒａｃｋ３  2：１５」と表示する。
【０１２９】
１６０５は現在画面出力していない記録再生装置名を記述する領域だが、ダビング中は録画先記録再生装置が出力選択されている場合、ダビング元、ダビング先とダビング中であることを表示する。例ではＶＣＲからＨＤＤへのダビングなので、ＶＣＲ⇒ＨＤＤダビングと表示する。
【０１３０】
１６０６は現在のデジタル記録装置の録画モードを表示する。表示例としてＳＰ（標準画質）と表示する。デジタル記録再生装置動詞の場合は高速モードもここに表示する。
【０１３１】
１６０７は現在画面に出力されている音声出力情報を表示する。例ではデジタル記録再生装置がＬＲ出力されているため、ＬＲ出力と表示されている。ただし、この時ＶＣＲからＨＤＤに対するＶＣＲの音声出力は自動音声制御や使用者が音声切り換え後ダビングすることもでき、必ずしもＬＲ出力とは限らない。
【０１３２】
１６０８はダビングの進捗を表示する。例ではパーセンテージで表示しているが、経過時間や、あるいは、残り時間の表示でもよい。
【０１３３】
図１７から図２０はデジタル記録再生装置同士のダビング時の、デジタル出力側のユーザーインターフェイスの表示例を説明する。
【０１３４】
図１７は現在画面出力に設定されている記録再生装置はＤＶＤであり、ＨＤＤからＤＶＤへのデジタル記録再生装置同士のダビング中の３ｉｎ１融合機の表示例である。
【０１３５】
１７０１は現在画面出力に選択されている記録再生装置名を記述する領域だが、ダビング中は録画先記録再生装置が出力選択されている場合、ダビング元、ダビング先とダビング中であることを表示する。例ではＨＤＤからＤＶＤ−Ｒへのダビングなので、ＨＤＤ⇒ＤＶＤダビングと表示している。
【０１３６】
１７０２は現在画面出力に選択されているデジタル記録再生装置名を表示する領域であり、複数の媒体を扱えるデジタル記録再生装置の場合、使用媒体名を表示する。しかし、ダビング中に限り、ダビング先記録再生装置が取り替え可能媒体である場合、挿入されている媒体名を表示する。例では、ＤＶＤ−Ｒが挿入されているので、ＤＶＤ−Ｒと表示する。ただし、画面出力のデジタル記録再生装置から裏装置へ変化した際は使用者にとって不要の情報となり表示させない。（図１８）
１７０３は現在のデジタル記録装置の録画モードを表示する。表示例としてＳＰ（標準画質）と表示する。デジタル記録再生装置動詞の場合は高速モードもここに表示する。
【０１３７】
１７０４は現在画面に出力されている音声出力情報を表示する。例ではデジタル記録再生装置の媒体がＤＶＤ−Ｒのため、出力がＬＲ固定となり、ＬＲ出力と表示されている。ただし、この時ＨＤＤからＤＶＤ−Ｒへの出力音声は２重放送の場合、ＬまたはＲ（設定に依存）、それ以外は、ＬＲ出力固定となる。ただし、画面出力のデジタル記録再生装置から裏装置へ変化した際は使用者にとって不要の情報となり表示させない。（図１８）
１７０５はダビングの進捗を表示する。例では完了までのパーセンテージで表示しているが、経過時間や、あるいは、残り時間の表示でもよい。
【０１３８】
１７０６はアナログ記録再生装置名であり、本例ではＶＣＲと表示する。
【０１３９】
１７０７は前記記録再生装置の状態を表示する領域であり、例としてＶＣＲが再生中を表示している。また、停止中は、現在アナログ記録再生装置が受信している放送局番号が表示される。
【０１４０】
１７０８は現在の音声出力情報を表示する。例ではＶＣＲに記録されている映像音声信号をＬＲ出力で再生している。
【０１４１】
１７０９は補助情報を表示し、例では、現在のテープの再生時間を表示している。
【０１４２】
図１８はＤＶＤ―ＲＡＭからＨＤＤへ高速ダビングを実行しているときに、現在画面出力に選択されている記録再生装置に設定し、ＤＶＤの同時動作（追っかけ再生など）させる時のユーザーインターフェイスの一例である。
【０１４３】
１８０１は現在画面出力に選択されている記録再生装置名を記述する領域だが、ダビング中は録画先記録再生装置が出力選択されている場合、ダビング元、ダビング先とダビング中であることを表示するが、デジタル記録装置の中には、同時記録再生装置（複数の動作を同時に実行できる装置）に限り、同時操作状態の時は、通常と同じ表示になる。例ではＤＶＤからＨＤＤへダビングしているが、ＤＶＤを通常と同じように使っているので、
ＤＶＤ−ＲＡＭと表示する。
【０１４４】
１８０２は前記デジタル記録再生装置の動作状況、受信放送局を表示する領域であり、例では、ＤＶＤ−ＲＡＭは停止状態（ダビング元としてみた時は再生中）であり、現在前記記録再生装置がチューナーから受信しているＡＢＣ放送（６ｃｈ）が表示する。
【０１４５】
１８０３は前記デジタル記録再生装置から出力される音声出力情報を表示する領域であり、例では現在放送中のＡＢＣ放送がＬＲ出力されている。
【０１４６】
１８０４はデジタル記録再生装置の媒体情報を表示する。表示例では、現在ＤＶＤ−ＲＡＭは停止状態であり、前記ＤＶＤ−ＲＡＭには、１個のプログラム、２：００：００記録されていることを表示する。また、媒体がない時は、あるいは判別不能媒体が入っていないことを表示します。表示例は「Ｎｏ  Ｄｉｓｃ」や「Ｎｏ  Ｍｅｄｉａ」などがある。
フォーマットされていない場合はＵｎｆｏｒｍａｔと表示する。
【０１４７】
１８０５は裏装置のデジタル記録再生装置同士のダビング中は、ダビング元、ダビング先とダビング中であることを表示する。例ではＤＶＤ（−ＲＡＭ）からＨＤＤへのダビングなので、ＤＶＤ⇒ＨＤＤダビングと表示している。ＤＶＤの詳細が何なのかはこの時使用者には特に必要な情報ではないため表示しない。
【０１４８】
１８０６は現在ダビング中のデジタル記録装置の録画モードを表示する。表示例として高速ダビング実施中のため、高速モードと表示する。
【０１４９】
１８０７はダビングの進捗を表示する。例では完了までのパーセンテージで表示しているが、経過時間や、あるいは、残り時間の表示でもよい。
【０１５０】
１８０８はアナログ記録再生装置名であり、本例ではＶＣＲと表示する。
【０１５１】
１８０９は前記記録再生装置の状態を表示する領域であり、例としてＶＣＲが再生中を表示している。また、停止中は、現在アナログ記録再生装置が受信している放送局番号が表示される。
【０１５２】
１８１０は現在の音声出力情報を表示する。例ではＶＣＲに記録されている映像音声信号をＬＲ出力で再生している。
【０１５３】
１８１１は補助情報を表示し、例では、現在のテープの再生時間を表示している。
【０１５４】
図１９はＤＶＤからＨＤＤへ高速ダビングを実行しているときに、現在画面出力に選択されている記録再生装置に設定し、ＨＤＤを同時動作（追っかけ再生など）させる時のユーザーインターフェイスの一例である。
【０１５５】
１９０１は現在画面出力に選択されている記録再生装置名を記述する領域だが、ダビング中は録画先記録再生装置が出力選択されている場合、ダビング元、ダビング先とダビング中であることを表示するが、デジタル記録装置の中には、同時記録再生装置（複数の動作を同時に実行できる装置）に限り、同時操作状態の時は、通常と同じ表示になる。例ではＨＤＤからＤＶＤへダビングしているが、ＨＤＤを通常と同じように使っているので、
ＨＤＤと表示する。
【０１５６】
１９０２は前記デジタル記録再生装置の動作状況、受信放送局を表示する領域であり、例では、ＨＤＤは停止状態（ダビング元としてみた時は再生中）であり、現在前記記録再生装置がチューナーから受信しているＡＢＣ放送（６ｃｈ）が表示する。
【０１５７】
１９０３は前記デジタル記録再生装置から出力される音声出力情報を表示する領域であり、例では現在放送中のＡＢＣ放送がＬＲ出力されている。
【０１５８】
１９０４はデジタル記録再生装置の媒体情報を表示する。表示例では、現在ＨＤＤは停止状態であり、前記ＨＤＤには、６３個のプログラム、１５２：５２：１２記録されていることを表示する。
【０１５９】
１９０５は裏装置のデジタル記録再生装置同士のダビング中は、ダビング元、ダビング先とダビング中であることを表示する。例ではＨＤＤからＤＶＤへのダビングなので、ＤＶＤ⇒ＨＤＤダビングと表示している。ＤＶＤの詳細が何なのかはこの時使用者には特に必要な情報ではないため表示しない。
【０１６０】
１９０６は現在ダビング中のデジタル記録装置の録画モードを表示する。表示例として高速ダビング実施中のため、高速モードと表示する。
【０１６１】
１９０７はダビングの進捗を表示する。例では完了までのパーセンテージで表示しているが、経過時間や、あるいは、残り時間の表示でもよい。
【０１６２】
１９０８はアナログ記録再生装置名であり、本例ではＶＣＲと表示する。
【０１６３】
１９０９は前記記録再生装置の状態を表示する領域であり、例としてＶＣＲが再生中を表示している。また、停止中は、現在アナログ記録再生装置が受信している放送局番号が表示される。
【０１６４】
１９１０は現在の音声出力情報を表示する。例ではＶＣＲに記録されている映像音声信号をＬＲ出力で再生している。
【０１６５】
１９１１は補助情報を表示し、例では、現在のテープの再生時間を表示している。
【０１６６】
図２０は３ｉｎ１融合機における別のユーザーインターフェイスの例を表示する。
【０１６７】
２００１は現在画面出力に選択されているデジタル記録再生装置名を表示する領域であり、複数の媒体を扱えるデジタル記録再生装置の場合、使用媒体名を表示する。図１３の例では、ハードディスクが選択されているので、ＨＤＤと表示される。
【０１６８】
２００２は前記デジタル記録再生装置の動作状況、受信放送局を表示する領域であり、例では、ＨＤＤは停止中であり、ＴＰ（ＶＣＲが受信しているものを受信するチャンネル）を選局している。画面出力に選択されている記録再生装置を含むダビングの時は、ＶＣＲなどのアナログ記録再生装置からのダビングの場合は一例としてＤＵＢ  ＴＰなどを表示し、デジタル記録再生装置同士で行った場合は一例としてダビングと区別し表示する
２００３はは前記デジタル記録再生装置から出力される音声出力情報を表示する領域であり、例ではＨＤＤから画面に対してＬＲ出力しているとしてＬＲ出力表示する。ただし、ＶＣＲからＨＤＤに対しては必ずしもＬＲ出力で受信しているとは限らない。
【０１６９】
２００４はデジタル記録再生装置の媒体情報を表示する。前期記録再生装置が、停止中の場合は、媒体に記録されている番組数と、総番組時間が表示され、再生中には再生中のプログラム番号、現在の再生時間を表示する。ダビング中は、ＤＶＤのような取替え可能な場合は媒体情報を表示し、ＨＤＤのような固定記録再生装置の場合は使用しない。
【０１７０】
２００５はダビングの進捗を表示する。例では完了までのパーセンテージで表示しているが、経過時間や、あるいは、残り時間の表示でもよい。ダビング以外は非表示になる。
【０１７１】
２００６は画面表示していないデジタル記録再生装置名を表示する領域であり、複数の媒体を扱えるデジタル記録再生装置の場合、使用媒体名を表示する。例では、何も挿入されていないので、ＤＶＤと表示される。
【０１７２】
２００７は前記デジタル記録再生装置の動作状況、受信放送局を表示する領域であり、例では、現在受信中のＡＢＣ放送（６ｃｈ）が表示される。
【０１７３】
２００８は前記デジタル記録再生装置から出力される音声出力情報を表示する領域であり、例では現在放送中のＡＢＣ放送がＬＲ出力されている。
【０１７４】
２００９はデジタル記録再生装置の媒体情報を表示する。表示例では、現在ＤＶＤ−Ｖは停止状態であり、前記ＤＶＤ−Ｖには、１０個のプログラム、１：００：２３記録されていることを表示している。また、媒体がない時は、入っていないことを表示します。表示例は「Ｎｏ  Ｄｉｓｃ」や「Ｎｏ  Ｍｅｄｉａ」などがある。
【０１７５】
２０１０はアナログ記録再生装置名であり、本例ではＶＣＲと表示する。
【０１７６】
２０１１は前記記録再生装置の状態を表示する領域であり、例としてＶＣＲが再生中を表示している。また、停止中は、現在アナログ記録再生装置が受信している放送局番号が表示される。
【０１７７】
２０１２は現在の音声出力情報を表示する。例ではＶＣＲに記録されている映像音声信号をＬＲ出力で再生している。
【０１７８】
２０１３は補助情報を表示し、例では、現在のテープの再生時間を表示している。
【０１７９】
２０１４はダビング実行時、どの記録再生装置からどの記録再生装置へのダビング実行中か方法を使用者に示す。例ではＶＣＲからＨＤＤへのダビング中表示する。
【０１８０】
２０１５は現在画面出力に選択されている記録録画装置から出力されていない記録再生装置へのダビングの時、ダビングの進捗を表示する。通常時は使用しないので例では空白になっている。
【０１８１】
図２１は３ｉｎ１融合機における、アナログ記録再生装置から出力されるユーザーインターフェイスの一例を表示する。
【０１８２】
２１０１は現在画面出力に選択されているアナログ記録再生装置であり、例ではＶＣＲを表示する。
【０１８３】
２１０２は前記アナログ記録再生装置の状態あるいは、アナログ記録装置が受信している放送局番号を表示する。例では、読売テレビ（１０ｃｈ）を表示する。
【０１８４】
２１０３は前記アナログ記録再生装置が出力している出力音声の情報を表示する。例では、ＬＲ出力しているので「Ｌ  Ｒ」と表示する。
【０１８５】
２１０４は前記アナログ記録再生装置の媒体情報を表示する。カセット挿入時や、再生時は録画モードとテープ時間を表示する。例では、カセット無しであるため、表示させていないが、カセット無しの表示をさせることも可能である。
【０１８６】
２１０５は現在画面出力に選択されていない第二のアナログ記録再生装置あるいは前記装置が存在しない場合は、デジタル記録再生装置の装置名あるいは取替え可能で複数の媒体が認識できる記録再生装置の場合は媒体名を標示する。例では、ＨＤＤは固定媒体であり、常にＨＤＤ固定で標示する。
【０１８７】
２１０６は前記記録再生装置の状態あるいは、アナログ記録装置が受信している放送局番号を表示する。例では、ＨＤＤが一時停止と標示する。
【０１８８】
２１０７は前記記録再生装置が出力している出力音声の情報を表示する。例では、ＬＲ出力しているので「Ｌ  Ｒ」と表示する。
【０１８９】
２１０８は前記記録再生装置の媒体情報を表示する。ＨＤＤの場合は再生時（一時停止中や早送り，巻き戻しを含む）以外は常に収録番組数と総収録時間が表示する。例では、一時停止中なので現在再生中のプログラム番号とそのプログラムの再生時間を表示する。
【０１９０】
２１０９は現在画面出力に選択されていないジタル記録再生装置の装置名あるいは取替え可能で複数の媒体が認識できる記録再生装置の場合は媒体名を標示する。例では、ＤＶＤであり媒体はＤＶＤ−ＶＩＤＥＯが挿入されているので、ＤＶＤ−Ｖと表示する。
【０１９１】
２１１０は前記記録再生装置の状態あるいは、デジタル記録装置が受信している放送局番号を表示する。例では、デジタル記録再生装置は停止中であり、現在受信しているＡＢＣ放送（６ｃｈ）を表示する。
【０１９２】
２１１１は前記記録再生装置が出力している出力音声の情報を表示する。例では、ＬＲ出力しているので「Ｌ  Ｒ」と表示する。
【０１９３】
２１１２は前記記録再生装置の媒体情報を表示する。ＤＶＤの場合は再生時（一時停止中や早送り，巻き戻しを含む）以外は常に収録番組数と総収録時間が表示する。例では、一停止中なので収録番組数と総収録時間が表示する。
【０１９４】
図２２は３ｉｎ１融合機における、デジタル記録再生装置とアナログ記録再生装置のダビング中のアナログ記録再生装置から出力されるユーザーインターフェイスの一例を表示する。
【０１９５】
２２０１は現在画面出力に設定されている記録再生装置名を表示するが、ダビングしている画面を出力している場合は、ダビング元記録再生装置、ダビング先記録再生装置、ダビング中を表示する。例では、ダビング元はＤＶＤ、ダビング先はＶＣＲであり、「ＤＶＤ⇒ＶＣＲ  ＤＵＢＢＩＮＧ」と表示する。
【０１９６】
２２０２はダビング先の記録モードを表示する。例では、ＶＣＲが記録媒体であり、自動を選択しているので、「標準／３倍」と表示する。
【０１９７】
２２０３は前記ダビング中の記録再生装置が出力している出力音声の情報を表示する。例では、ＬＲ出力しているので「Ｌ  Ｒ」と表示する。
【０１９８】
２２０４はダビングの進捗を表示する。例では現在のダビング経過時間を表示しているが、パーセンテージ表示や、あるいは、残り時間の表示でもよい。
【０１９９】
２２０５は画面出力していないダビング中以外のアナログ記録再生装置、もしくは、デジタル記録再生装置名を表示する。複数の動作を同時にこなせる記録再生装置名が表示することもある。例では、ダビングと関係の無い、ＨＤＤを表示する。
【０２００】
２２０６は前記記録再生装置の状態あるいは、デジタル記録装置が受信している放送局番号を表示する。例では、ＨＤＤは録画中なので、録画状態を表す記号と現在録画中の放送局名番号である「１２ｃｈ」を表示する
２２０７は前記ダビング中の記録再生装置が出力している出力音声の情報を表示する。しかし、前記記録再生装置が録画中に限り出力音声情報でなく記録モードの表示を表示する。例では、ＸＰモードで記録中のためＸＰと表示する。
【０２０１】
２２０８は前記記録再生装置の媒体情報を表示する。ＨＤＤの場合は動作中（再生、一時停止中や早送り，巻き戻しを含む）以外は常に収録番組数と総収録時間が表示する。例では、録画中なのでプログラム番号と現在のプログラムの録画時間を表示する。
【０２０２】
図２３は３ｉｎ１融合機における、現在画面出力している記録再生装置がＶＣＲで、裏で、ＨＤＤからＤＶＤ−ＲＡＭに再エンコードダビング実行中のＶＣＲから出力されるユーザーインターフェイスの表示の一例である。
【０２０３】
２３０１は現在画面出力を有するアナログ記録再生装置の装置名を表示する。例では、ＶＣＲと表示する。
【０２０４】
２３０２は前記アナログ記録再生装置の状態あるいは、アナログ記録再生装置が受信している放送局番号を表示する。ＶＣＲは停止中であり、ビデオカセットは挿入されていないので現在アナログ記録再生装置が受信している読売テレビ（１０ｃｈ）を表示する。
【０２０５】
２３０３は前記記録再生装置が出力している出力音声の情報を表示する。例では、ＬＲ出力しているので「Ｌ  Ｒ」と表示する。
【０２０６】
２３０４は前記記録再生装置の媒体情報を表示する。例では、ＶＣＲはビデオカセット入れていないため、何も表示しない。また、Ｎｏ  Ｔａｐｅと明示的に表示してもよい。
【０２０７】
２３０５は、前期アナログ記録再生装置以外のアナログ記録再生装置名または、デジタル記録再生装置名または挿入されている媒体名を表示するが、ダビング実行している場合は、ダビング元記録再生装置、ダビング先記録再生装置、ダビング中を表示する。例では、ダビング元はＨＤＤ、ダビング先はＤＶＤ−ＲＡＭであり、「ＨＤＤ⇒ＤＶＤ−ＲＡＭ  ＤＵＢＢＩＮＧ」と表示する。
【０２０８】
２３０６はダビング先の記録モードを表示する。例では、ＤＶＤ−ＲＡＭが記録媒体であり、最長時間録画を選択しているので、「ＥＰ（８Ｈ）」と表示する。他にも高画質（ＸＰ）、標準（ＳＰ）、長時間録画（ＬＰ）、高速ダビング（高速）と表示する。
【０２０９】
２３０７はダビングの進捗を表示する。例では現在のダビングの進捗をパーセンテージ表示しているが、ダビング経過時間または、残り時間の表示でもよい。
【０２１０】
図２４は４ｉｎ１モデル以降のデジタル記録再生装置から出力されるユーザーインターフェイスの一例を表示する。
【０２１１】
２４０１は画面出力に設定されているデジタル記録再生装置の装置名表示する領域であり、複数の媒体を扱えるデジタル記録再生装置の場合、使用媒体名を表示する。例では、ＤＶＤは媒体が挿入されていないため、一番ベースになるＤＶＤのみ表示する。
【０２１２】
２４０２は前記デジタル記録再生装置の動作状況、受信放送局を表示する領域であり、例では、現在選局中のＡＢＣ放送（６ｃｈ）が表示されている。
【０２１３】
２４０３は、前記デジタル記録再生装置から出力される音声出力情報を表示する領域であり、例ではＤＶＤからＬＲ出力しているので、ＬＲ出力表示する。
【０２１４】
２４０４は前記デジタル記録再生装置の媒体情報を表示する。表示例では、ディスクが挿入されていないのでＮｏ  Ｄｉｓｃと表示している。
【０２１５】
２４０５は、画面出力されていない第２デジタル記録再生装置の装置名表示する領域であり、複数の媒体を扱えるデジタル記録再生装置の場合、使用媒体名を表示する。例では、ＨＤＤが表示される。ＨＤＤは固定のデジタル記録再生装置であるため、必ずＨＤＤと表示する。ただし、アルファベット，略語である必要はない。
【０２１６】
２４０６は前記デジタル記録再生装置の動作状況、受信放送局を表示する領域であり、例では、ＨＤＤは停止状態であり、デジタル記録再生装置用チューナーは１つのため前記ＤＶＤと同期して、ＡＢＣ放送（６ｃｈ）が表示されているが、それぞれが独立してチューナーを使用できる融合機の場合は、必ずしも同期しない。
【０２１７】
２４０７は、前記デジタル記録再生装置から出力される音声出力情報を表示する領域であり、例では前記ＤＶＤと同期しＬＲ出力表示されているが、前期のようにそれぞれがチューナーを有する場合や、ＤＶＤが再生している場合など、非同期に表示される。
【０２１８】
２４０８は前記デジタル記録再生装置の媒体情報（ＨＤＤ）を表示する。表示例では、現在ＨＤＤは停止状態であり、前記ＨＤＤには、１５０個のプログラム、１２４：１６：５９記録されていることを表示している。ＨＤＤのような固定デジタル記録媒体の場合、媒体無しと表示されることは原則としてない。ただし、ＨＤＤ故障の場合、その旨を使用者に通知する場合もある。
【０２１９】
２４０９は、画面出力されていない第３デジタル記録再生装置の装置名表示する領域であり、複数の媒体を扱えるデジタル記録再生装置の場合、使用媒体名を表示する。例では、第３デジタル記録再生装置はＳＤカードドライブであり、ＳＤと表示する。
【０２２０】
２４１０は前記デジタル記録再生装置の動作状況、受信放送局を表示する領域であり、例では直接チューナーを扱えないＳＤカードを想定しているため、容量を表示する。ただし、直接チューナーからＳＤカードへMPEG４などで録画できる場合は、ＤＶＤやＨＤＤと同等表示する。
【０２２１】
２４１１は、前記デジタル記録再生装置から出力される音声出力情報を表示する領域であり、例では直接チューナーを扱えないＳＤカードを想定しているため格納されているフォルダ数を表示する。ただし、直接チューナーからＳＤカードへMPEG４などで録画できる場合は、ＤＶＤやＨＤＤと同等表示する。
【０２２２】
２４１２は前記デジタル記録再生装置の媒体情報を表示する。例では、例では直接チューナーを扱えないＳＤカードを想定しているため格納されているファイル数、もしくは現在選択中のあるいは表示中あるいは再生中のファイル名を表示する。  ただし、動画再生時はファイル名と現在の再生時間を表示する。
【０２２３】
図２５は前記融合機における、現在画面出力している記録再生装置がＶＣＲで、裏で、ＨＤＤからＤＶＤ−ＲＡＭに再エンコードダビング実行中のＶＣＲから出力されるユーザーインターフェイスの表示の一例である。
【０２２４】
２５０１は現在画面出力を有するアナログ記録再生装置の装置名を表示する。例では、ＶＣＲと表示する。
【０２２５】
２５０２は前記アナログ記録再生装置の状態あるいは、アナログ記録再生装置が受信している放送局番号を表示する。ＶＣＲは停止中であり、ビデオカセットは挿入されていないので現在アナログ記録再生装置が受信している読売テレビ（１０ｃｈ）を表示する。
【０２２６】
２５０３は前記記録再生装置が出力している出力音声の情報を表示する。例では、ＬＲ出力しているので「Ｌ  Ｒ」と表示する。
【０２２７】
２５０４は前記記録再生装置の媒体情報を表示する。例では、ＶＣＲはビデオカセット入れていないため、何も表示しない。また、Ｎｏ  Ｔａｐｅと明示的に表示してもよい。
【０２２８】
２５０５は、前期アナログ記録再生装置以外のアナログ記録再生装置名または、デジタル記録再生装置名または挿入されている媒体名を表示するが、ダビング実行している場合は、ダビング元記録再生装置、ダビング先記録再生装置、ダビング中を表示する。例では、ダビング元はＨＤＤ、ダビング先はＤＶＤ−ＲＡＭであり、「ＨＤＤ⇒ＤＶＤ−ＲＡＭ  ＤＵＢＢＩＮＧ」と表示する。
【０２２９】
２５０６はダビング先の記録モードを表示する。例では、ＤＶＤ−ＲＡＭが記録媒体であり、最長時間録画を選択しているので、「ＥＰ（８Ｈ）」と表示する。他にも高画質（ＸＰ）、標準（ＳＰ）、長時間録画（ＬＰ）、高速ダビング（高速）と表示する。
【０２３０】
２５０７はダビングの進捗を表示する。例では現在のダビングの進捗をパーセンテージ表示しているが、ダビング経過時間または、残り時間の表示でもよい。
【０２３１】
２５０８は、画面出力されていないデジタル記録再生装置の装置名表示する領域であり、複数の媒体を扱えるデジタル記録再生装置の場合、使用媒体名を表示する。例では、デジタル記録再生装置はＳＤカードドライブであり、ＳＤと表示する。
【０２３２】
２５０９は前記デジタル記録再生装置の動作状況、受信放送局を表示する領域であり、例ではＳＤ内に格納されているＭＰＥＧ４ファイルの再生中を想定しており、再生と表示する。
【０２３３】
２５１０は、前記デジタル記録再生装置から出力される音声出力情報を表示する領域であり、例ではＬＲ出力させているので、ＬＲと表示する。
【０２３４】
２５１１は前記デジタル記録再生装置の媒体情報を表示する。例では動画再生時はファイル名と現在の再生時間を表示する。ただし、直接チューナーを扱えないＳＤ場合は格納されているファイル数、もしくは現在選択中のあるいは表示中あるいは再生中のファイル名を表示する。
【産業上の利用可能性】
【０２３５】
本発明は、デジタル記録再生装置とアナログ記録再生装置を1つの筐体に有する記録再生装置の表示及び表示方法に関するものであり、前記の説明では、アナログ記録再生装置としてＶＣＲ、デジタル記録再生装置として、ＤＶＤ，ＨＤＤ，ＳＤについて説明したが、その他の組み合わせであっても構わない。
【図面の簡単な説明】
【０２３６】
【図１】本発明の実施の形態におけるデジタル記録再生装置とアナログ記録再生装置を１つの今日体内に有する記録再生装置の構成を示すブロック図
【図２】同実施形態におけるデジタル記録再生装置から出力される画面を示す図
【図３】前記記録再生装置のデジタル記録再生装置側のユーザーインターフェイス部の基本構成図
【図４】前記記録再生装置のアナログ記録再生装置側のユーザーインターフェイス部の基本構成図
【図５】同実施の形態における出力画面に設定されている記録再生装置の変化によりユーザーインターフェイスの表示の流れを示すフローチャート
【図６】同実施の形態における前記以外の記録再生装置の状態の変化によりユーザーインターフェイスの表示の流れを示すフローチャート
【図７】同実施の形態におけるタイマー割り込みにより、ユーザーインターフェイスの表示を終了する処理の流れを示すフローチャート
【図８】同実施の形態における利用者が現在の記録再生装置の情報を能動的に取得するためにユーザーインターフェイスを表示する流れを示すフローチャート
【図９】同実施の形態におけるＶＣＲとＤＶＤの融合機におけるデジタル出力ユーザーインターフェイスの一例の模式図
【図１０】同実施の形態における前記融合機におけるダビング実行中のデジタル出力ユーザーインターフェイスの一例の模式図
【図１１】同実施の形態におけるＶＣＲとＤＶＤの融合機におけるアナログ出力ユーザーインターフェイスの一例の模式図
【図１２】同実施の形態における前記融合機におけるダビング実行中のアナログ出力ユーザーインターフェイスの一例の模式図
【図１３】同実施の形態におけるＶＣＲとＤＶＤ／ＨＤＤの融合機におけるＤＶＤが画面出力に選択されている状態のデジタル出力ユーザーインターフェイスの一例の模式図
【図１４】同実施の形態におけるＶＣＲとＤＶＤ／ＨＤＤの融合機におけるＨＤＤが画面出力に選択されている状態のデジタル出力ユーザーインターフェイスの一例の模式図
【図１５】同実施の形態における前記融合機におけるＶＣＲからＤＶＤへのダビング中におけるＤＶＤが画面出力に選択されている状態のデジタル出力ユーザーインターフェイスの一例の模式図
【図１６】同実施の形態における前記融合機におけるＶＣＲからＨＤＤへのダビング中におけるＤＶＤが画面出力に選択されている状態のデジタル出力ユーザーインターフェイスの一例の模式図
【図１７】同実施の形態における前記融合機におけるＨＤＤからＤＶＤへのダビング中におけるＤＶＤが画面出力に選択されている状態のデジタル出力ユーザーインターフェイスの一例の模式図
【図１８】同実施の形態における前記融合機におけるＤＶＤからＨＤＤへのダビングとＤＶＤの同時使用におけるＤＶＤが画面出力に選択されている状態のデジタル出力ユーザーインターフェイスの一例の模式図
【図１９】同実施の形態における前記融合機におけるＤＶＤからＨＤＤへのダビングとＨＤＤの同時使用におけるＨＤＤが画面出力に選択されている状態のデジタル出力ユーザーインターフェイスの一例の模式図
【図２０】同実施の形態における前記融合機における別のデジタル出力ユーザーインターフェイスの一例の模式図
【図２１】同実施の形態におけるＶＣＲとＤＶＤ／ＨＤＤの融合機におけるアナログ出力ユーザーインターフェイスの一例の模式図
【図２２】同実施の形態における前記融合機におけるＤＶＤからＶＣＲへのダビング中におけるＶＣＲが画面出力に選択されている状態のアナログ出力ユーザーインターフェイスの一例の模式図
【図２３】同実施の形態における前記融合機におけるＨＤＤからＤＶＤへのダビング中におけるＶＣＲが画面出力に選択されている状態のアナログ出力ユーザーインターフェイスの一例の模式図
【図２４】同実施の形態におけるＶＣＲとＤＶＤ／ＨＤＤ／ＳＤの融合機におけるデジタル出力ユーザーインターフェイスの一例の模式図
【図２５】同実施の形態におけるＶＣＲとＤＶＤ／ＨＤＤ／ＳＤの融合機におけるアナログ出力ユーザーインターフェイスの一例の模式図
【図２６】従来のデジタル記録再生装置とアナログ記録再生装置を１つの今日体内に有する記録再生装置の構成を示すブロック図
【符号の説明】
【０２３７】
１０１    操作部
１０２    制御装置
１０３    アナログ記録再生装置
１０５    アナログ表示用バッファ
１０６    アナログ用表示部
１０８    デジタル記録再生装置
１１０    デジタル表示用バッファ
１１１    デジタル用表示部
１１３    映像処理部
１１４    記憶装置
【図１】
2006040460.tif 000003
【図２】
2006040460.tif 000004
【図３】
2006040460.tif 000005
【図４】
2006040460.tif 000006
【図５】
2006040460.tif 000007
【図６】
2006040460.tif 000008
【図７】
2006040460.tif 000009
【図８】
2006040460.tif 000010
【図９】
2006040460.tif 000011
【図１０】
2006040460.tif 000012
【図１１】
2006040460.tif 000013
【図１２】
2006040460.tif 000014
【図１３】
2006040460.tif 000015
【図１４】
2006040460.tif 000016
【図１５】
2006040460.tif 000017
【図１６】
2006040460.tif 000018
【図１７】
2006040460.tif 000019
【図１８】
2006040460.tif 000020
【図１９】
2006040460.tif 000021
【図２０】
2006040460.tif 000022
【図２１】
2006040460.tif 000023
【図２２】
2006040460.tif 000024
【図２３】
2006040460.tif 000025
【図２４】
2006040460.tif 000026
【図２５】
2006040460.tif 000027
【図２６】
2006040460.tif 000028